(57)【要約】【課題】ＣＯ２濃度制御の設定値をＣＯ２濃度の測定値のずれ幅に応じた適切な値として省エネルギーを図る。【解決手段】所定期間Ｔが経過する毎に、その所定期間ＴにおけるＣＯ２濃度の測定値の最小値ｐｖminを、制御対象空間における人がいない状態でのＣＯ２濃度の測定値として抽出する。この最小値ｐｖminと基準値（外気のＣＯ２濃度として定められた所定の値（４００ｐｐｍ））との差をドリフト量ΔＤ（ΔＤ＝ｐｖmin−基準値）として求める。ドリフト量ΔＤがマイナス値であった場合、ＳＰ’＝ＳＰ−｜ΔＤ｜とし、ドリフト量ΔＤがプラス値であった場合、ＳＰ’＝ＳＰ＋｜ΔＤ｜）とする。ＳＰはＣＯ２濃度制御の初期設定値（１０００ｐｐｍ）、ＳＰ’は変更後のＣＯ２濃度制御の設定値。【選択図】  図２
2013120001.tif 000002
【特許請求の範囲】
【請求項１】
制御対象空間におけるＣＯ２濃度を測定するＣＯ２濃度測定手段と、
外気のＣＯ２濃度として定められた所定の値を基準値として記憶する基準値記憶手段と、
前制御対象空間における人がいない状態でのＣＯ２濃度の測定値と前記基準値との差をドリフト量として求めるドリフト量算出手段と、
前記ドリフト量算出手段によって求められたドリフト量に基づいて前記制御対象空間に対して定められているＣＯ２濃度制御の設定値を変更する設定値変更手段と
を備えることを特徴とするＣＯ２濃度制御の設定値変更装置。
【請求項２】
制御対象空間におけるＣＯ２濃度を測定するＣＯ２濃度測定ステップと、
外気のＣＯ２濃度として定められた所定の値を基準値として記憶する基準値記憶ステップと、
前記制御対象空間における人がいない状態でのＣＯ２濃度の測定値と前記基準値との差をドリフト量として求めるドリフト量算出ステップと、
前記ドリフト量算出ステップによって求められたドリフト量に基づいて前記制御対象空間に対して定められているＣＯ２濃度制御の設定値を変更する設定値変更ステップと
を備えることを特徴とするＣＯ２濃度制御の設定値変更方法。
【発明の詳細な説明】
【技術分野】
【０００１】
この発明は、制御対象空間に対して定められているＣＯ２濃度制御の設定値を変更するＣＯ２濃度制御の設定値変更装置および方法に関するものである。
【背景技術】
【０００２】
ＣＯ２の濃度は、空気汚染の指標として一般的に用いられ、効率的な換気の目安となる。ビル管理法では、空間環境測定について、温度：１７〜２８℃、湿度：４０〜７０％、ＣＯ：１０ｐｐｍ以下、ＣＯ２：１０００ｐｐｍ以下、粉塵：０．１５ｍｇ／立米、気流：０．５ｍ／ｓというように定められている。
【０００３】
この中で、ＣＯ２は、定期的に測定して、その濃度が１０００ｐｐｍ以下であることとされている。このために、例えば特許文献１では、ＣＯ２濃度制御の目標値を１０００ｐｐｍとし、１０００ｐｐｍ以下となるように室内の換気量を制御するようにしている。
【０００４】
このようなＣＯ２濃度制御では、ビル管理法に定められる１０００ｐｐｍに対し、ＣＯ２の濃度を測定するセンサ（ＣＯ２センサ）のマイナス方向への経時的なドリフトを考慮し、例えば８００ｐｐｍをＣＯ２濃度制御の設定値とする。すなわち、８００ｐｐｍをＣＯ２濃度制御の設定値として定め、この設定値にＣＯ２濃度の測定値が一致するように、室内（被制御対象空間）への換気量を制御する。これにより、ＣＯ２センサにマイナス方向への経時的なドリフトがあっても、室内のＣＯ２濃度が１０００ｐｐｍ以下に保たれる。
【先行技術文献】
【特許文献】
【０００５】
【特許文献１】特開２００８−３０４１２４号公報
【発明の概要】
【発明が解決しようとする課題】
【０００６】
しかしながら、ビル管理法に定められる１０００ｐｐｍに対してＣＯ２濃度制御の設定値として定められる８００ｐｐｍは、環境やセンサ精度のバラツキを考慮したうえでの保証値として採用したものであるため、実際にはもっと高めに設定しても問題ない場合が多い。
【０００７】
すなわち、ＣＯ２濃度制御の設定値は１０００ｐｐｍに近づけるほど外気処理熱量を低減させて省エネルギーが図られるにも拘わらず、ＣＯ２センサからの濃度測定値のずれ幅の最大値を考慮して低めに設定されており、この濃度測定値のずれ幅の最大値を考慮してのＣＯ２濃度制御の設定値の低めへの設定が省エネルギーを妨げている。
【０００８】
本発明は、このような課題を解決するためになされたもので、その目的とするところは、ＣＯ２濃度制御の設定値をＣＯ２濃度の測定値のずれ幅に応じた適切な値として、省エネルギーを図ることが可能なＣＯ２濃度制御の設定値変更装置および方法を提供することにある。
【課題を解決するための手段】
【０００９】
このような目的を達成するために、本発明に係るＣＯ２濃度制御の設定値変更装置は、制御対象空間におけるＣＯ２濃度を測定するＣＯ２濃度測定手段と、外気のＣＯ２濃度として定められた所定の値を基準値として記憶する基準値記憶手段と、制御対象空間における人がいない状態でのＣＯ２濃度の測定値と基準値との差をドリフト量として求めるドリフト量算出手段と、ドリフト量算出手段によって求められたドリフト量に基づいて制御対象空間に対して定められているＣＯ２濃度制御の設定値を変更する設定値変更手段とを備えることを特徴とする。
【００１０】
この発明によれば、外気のＣＯ２濃度として定められた所定の値が基準値とされ、制御対象空間における人がいない状態でのＣＯ２濃度の測定値と基準値との差がドリフト量として求められ、このドリフト量に基づいて制御対象空間に対して定められているＣＯ２濃度制御の設定値が変更される。
【００１１】
例えば、基準値を４００ｐｐｍ、人がいない状態でのＣＯ２濃度の測定値を３５０ｐｐｍとし、ＣＯ２濃度制御の目標値（初期設定値）を１０００ｐｐｍとした場合、ドリフト量（測定値−基準値）が−５０ｐｐｍとして求められ、ＣＯ２濃度制御の初期設定値１０００ｐｐｍからドリフト量の絶対値５０ｐｐｍを差し引いて、変更後のＣＯ２濃度制御の設定値を９５０ｐｐｍとする。これにより、ＣＯ２濃度制御の設定値が１０００ｐｐｍが９５０ｐｐｍに変更される。この場合、ＣＯ２濃度制御の設定値を９５０ｐｐｍに変更することによって、この変更されたＣＯ２濃度制御の設定値９５０ｐｐｍにＣＯ２濃度の測定値を一致させるような制御を行うものとすと、ＣＯ２濃度の測定値のドリフト量が−５０ｐｐｍであるので、制御対象空間における実際のＣＯ２の濃度は１０００ｐｐｍに合わせ込まれるものとなる。
【００１２】
本発明では、制御対象空間における人がいない状態でのＣＯ２濃度の測定値を求めるが、所定期間（例えば、１ヶ月）におけるＣＯ２濃度の測定値の最小値を人がいない状態でのＣＯ２濃度の測定値として求めるようにしたり、制御対象空間を人がいない状態とし、その状態でのＣＯ２濃度の測定値の平均値や加重平均などを人がいない状態でのＣＯ２濃度の測定値として求めるようにするなどするとよい。
【発明の効果】
【００１３】
本発明によれば、外気のＣＯ２濃度として定められた所定の値を基準値とし、制御対象空間における人がいない状態でのＣＯ２濃度の測定値と基準値との差をドリフト量として求め、この求めたドリフト量に基づいて制御対象空間に対して定められているＣＯ２濃度制御の設定値を変更するようにしたので、ＣＯ２濃度制御の設定値をＣＯ２濃度の測定値のずれ幅に応じた適切な値として、省エネルギーを図ることが可能となる。
【図面の簡単な説明】
【００１４】
【図１】本発明に係るＣＯ２濃度制御の設定値変更装置の一実施の形態を用いたシステムの概略を示す図である。
【図２】このシステムにおいて用いられるＣＯ２濃度制御の設定値変更装置の機能ブロック図である。
【図３】この設定値変更装置におけるＣＰＵが実行する処理動作のフローチャートである。
【図４】所定期間Ｔ毎にＣＯ２濃度制御の設定値が変更されて行く様子を例示する図である。
【発明を実施するための形態】
【００１５】
以下、本発明の実施の形態を図面に基づいて詳細に説明する。図１はこの発明に係るＣＯ２濃度制御の設定値変更装置の一実施の形態を用いたシステムの概略を示す図である。
【００１６】
図１において、１００はＣＯ２濃度の制御対象空間、２００は本発明に係るＣＯ２濃度制御の設定値変更装置、３００はＣＯ２濃度制御装置、４００は制御対象空間１００に対して設けられた換気装置であり、制御対象空間１００にはその空間内のＣＯ２濃度を測定する手段としてＣＯ２センサＳ１が設置されている。なお、制御対象空間１００は人が活動する空間であればよく、建物内の空間に限られるものではない。
【００１７】
図２にＣＯ２濃度制御の設定値変更装置（以下、単に設定値変更装置と呼ぶ）２００の機能ブロック図を示す。この設定値変更装置２００は、プロセッサや記憶装置からなるハードウェアと、これらのハードウェアと協働して各種機能を実現させるプログラムとによって実現され、本実施の形態特有の機能ブロックとして、測定値取込部１と、測定値記憶部２と、基準値記憶部３と、初期設定値記憶部４と、最小値抽出部５と、ドリフト量算出部６と、設定値変更部７とを備えている。なお、この実施の形態において、ＣＯ２センサＳ１は設定値変更装置２００の構成要素の１つとして設けられている。
【００１８】
設定値変更装置２００において、測定値取込部１は、ＣＯ２センサＳ１からのＣＯ２濃度の測定値ｐｖｉを定周期で取り込む。測定値記憶部２には、定周期で取り込まれたＣＯ２センサＳ１からのＣＯ２濃度の測定値ｐｖｉが時系列に記憶される。基準値記憶部３には外気のＣＯ２濃度として定められた所定の値が基準値として記憶されている。この実施の形態では、外気のＣＯ２濃度として定められた所定の値を４００ｐｐｍとし、この４００ｐｐｍを基準値として基準値記憶部３に記憶させている。初期設定値記憶部４には、ＣＯ２濃度制御の初期設定値ＳＰとして、ビル管理法で定められた１０００ｐｐｍが設定されている。
【００１９】
最小値抽出部５は、所定期間Ｔが経過する毎に、測定値記憶部２に記憶されている測定値の中から、その所定期間ＴにおけるＣＯ２濃度の測定値の最小値ｐｖminを、制御対象空間１００における人がいない状態でのＣＯ２濃度の測定値として抽出する。本実施の形態において、所定期間Ｔは、例えば１ヶ月とされている。
【００２０】
ドリフト量算出部６は、最小値抽出部５からの所定期間ＴにおけるＣＯ２濃度の測定値の最小値ｐｖminを入力とし、この最小値ｐｖminと基準値記憶部３に記憶されている基準値（４００ｐｐｍ）との差をドリフト量ΔＤ（ΔＤ＝ｐｖmin−基準値）として求める。
【００２１】
設定値変更部７は、ドリフト量算出部６からのドリフト量ΔＤを入力とし、ドリフト量ΔＤがマイナス値であった場合、初期設定値記憶部４に記憶されている初期設定値ＳＰからドリフト量ΔＤの絶対値を差し引いて、変更後のＣＯ２濃度制御の設定値ＳＰ’（ＳＰ’＝ＳＰ−｜ΔＤ｜）とし、ドリフト量ΔＤがプラス値であった場合、初期設定値記憶部４に記憶されている初期設定値ＳＰにドリフト量ΔＤの絶対値を加算して、変更後のＣＯ２濃度制御の設定値ＳＰ’（ＳＰ’＝ＳＰ＋｜ΔＤ｜）とする。
【００２２】
図２に示した機能ブロック図において、ＣＯ２センサＳ１と測定値取込部１とによって、本発明でいうＣＯ２濃度測定手段が構成されており、最小値抽出部５とドリフト量算出部６とでドリフト量算出手段が構成されている。また、設定値変更部７が本発明でいう設定値変更手段に対応し、基準値記憶部３が基準値記憶手段に対応する。また、測定値取込部１、最小値抽出部５、ドリフト量算出部６および設定値変更部７の機能は、プログラムに従うＣＰＵ８の処理機能として実現される。
【００２３】
図１において、ＣＯ２濃度制御装置３００は、設定値変更装置２００からのＣＯ２濃度制御の設定値ＳＰ’を入力とし、ＣＯ２センサＳ１からのＣＯ２濃度の測定値ｐｖｉを設定値ＳＰ’に一致させるように、換気装置４００からの制御対象空間１００への換気量を制御する。
【００２４】
図３に設定値変更装置２００におけるＣＰＵ８が実行する処理動作のフローチャートを示す。ＣＰＵ８は、ＣＯ２センサＳ１からのＣＯ２濃度の測定値ｐｖｉを取り込み（ステップＳ１０１）、この取り込んだＣＯ２濃度の測定値ｐｖｉを測定値記憶部２に記憶させる（ステップＳ１０２）。
【００２５】
ＣＰＵ８は、このステップＳ１０１，Ｓ１０２の処理動作を繰り返し行い、所定期間Ｔ（この例では、１ヶ月）が経過すると（ステップＳ１０３のＹＥＳ）、この所定期間ＴにおけるＣＯ２濃度の測定値の最小値ｐｖminを、制御対象空間１００における人がいない状態でのＣＯ２濃度の測定値として、測定値記憶部２から抽出する（ステップＳ１０４）。
【００２６】
そして、基準値記憶部３から基準値（４００ｐｐｍ）を読み出し（ステップＳ１０５）、ステップＳ１０４で抽出した所定期間ＴにおけるＣＯ２濃度の測定値の最小値ｐｖminと基準値との差をドリフト量ΔＤ（ΔＤ＝ｐｖmin−基準値）として求める（ステップＳ１０６）。
【００２７】
次に、ＣＰＵ８は、ステップＳ１０６で求めたドリフト量ΔＤがプラス値であるのか、マイナス値であるのかを確認する（ステップＳ１０７）。
【００２８】
ここで、ドリフト量ΔＤがマイナス値であれば（ステップＳ１０７の「マイナス」）、初期設定値記憶部４に記憶されている初期設定値ＳＰからドリフト量ΔＤの絶対値を差し引いて、変更後のＣＯ２濃度制御の設定値ＳＰ’（ＳＰ’＝ＳＰ−｜ΔＤ｜）とし（ステップＳ１０８）、ＣＯ２濃度制御装置３００へ出力する（ステップＳ１１０）。
【００２９】
ドリフト量ΔＤがプラス値であれば（ステップＳ１０７の「プラス」）、初期設定値記憶部４に記憶されている初期設定値ＳＰにドリフト量ΔＤの絶対値を加算して、変更後のＣＯ２濃度制御の設定値ＳＰ’（ＳＰ’＝ＳＰ＋｜ΔＤ｜）とし（ステップＳ１０９）、ＣＯ２濃度制御装置３００へ出力する（ステップＳ１１０）。
【００３０】
図４に所定期間Ｔ毎にＣＯ２濃度制御の設定値が変更されて行く様子を例示する。この例では、期間Ｔ１を「２０１２／１／１〜２０１２／１／３１」の１ヶ月間、期間Ｔ２を「２０１２／２／１〜２０１２／２／２８」の１ヶ月間、期間Ｔ３を「２０１２／３／１〜２０１２／３／３１」の１ヶ月間としている。また、その期間Ｔ１〜Ｔ３中のＣＯ２濃度の測定周期を１分、ＣＯ２濃度の基準値を４００ｐｐｍとしている。
【００３１】
この例において、期間Ｔ１では、ＣＯ２濃度の測定値の最小値ｐｖminが３５０ｐｐｍとして抽出され、ドリフト量ΔＤが−５０ｐｐｍとして求められている。このため、変更後のＣＯ２濃度制御の設定値ＳＰ’は、ＳＰ’＝ＳＰ−｜ΔＤ｜＝１０００ｐｐｍ−５０ｐｐｍ＝９５０ｐｐｍとされる。
【００３２】
期間Ｔ２では、ＣＯ２濃度の測定値の最小値ｐｖminが４１０ｐｐｍとして抽出され、ドリフト量ΔＤが＋１０ｐｐｍとして求められている。このため、変更後のＣＯ２濃度制御の設定値ＳＰ’は、ＳＰ’＝ＳＰ＋｜ΔＤ｜＝１０００ｐｐｍ＋１０ｐｐｍ＝１０１０ｐｐｍとされる。
【００３３】
期間Ｔ３では、ＣＯ２濃度の測定値の最小値ｐｖminが３７０ｐｐｍとして抽出され、ドリフト量ΔＤが−３０ｐｐｍとして求められている。このため、変更後のＣＯ２濃度制御の設定値ＳＰ’は、ＳＰ’＝ＳＰ−｜ΔＤ｜＝１０００ｐｐｍ−３０ｐｐｍ＝９７０ｐｐｍとされる。
【００３４】
この場合、期間Ｔ１から得られた結果に基づいて、ＣＯ２濃度制御の初期設定値である１０００ｐｐｍが９５０ｐｐｍに変更され、この変更されたＣＯ２濃度制御の設定値９５０ｐｐｍにＣＯ２濃度の測定値ｐｖｉを一致させるような換気量の制御が行われるものとなる。これにより、制御対象空間１００における実際のＣＯ２の濃度は、ＣＯ２濃度の測定値ｐｖｉのドリフト量ΔＤが−５０ｐｐｍであるので、１０００ｐｐｍに合わせ込まれるようになる。
【００３５】
また、期間Ｔ２から得られた結果に基づいて、ＣＯ２濃度制御の初期設定値である１０００ｐｐｍが１０１０ｐｐｍに変更され、この変更されたＣＯ２濃度制御の設定値１０１０ｐｐｍにＣＯ２濃度の測定値ｐｖｉを一致させるような換気量の制御が行われるものとなる。これにより、制御対象空間１００における実際のＣＯ２の濃度は、ＣＯ２濃度の測定値ｐｖｉのドリフト量ΔＤが＋１０ｐｐｍであるので、１０００ｐｐｍに合わせ込まれるようになる。
【００３６】
また、期間Ｔ３から得られた結果に基づいて、ＣＯ２濃度制御の初期設定値である１０００ｐｐｍが９７０ｐｐｍに変更され、この変更されたＣＯ２濃度制御の設定値９７０ｐｐｍにＣＯ２濃度の測定値ｐｖｉを一致させるような換気量の制御が行われるものとなる。これにより、制御対象空間１００における実際のＣＯ２の濃度は、ＣＯ２濃度の測定値ｐｖｉのドリフト量ΔＤが−３０ｐｐｍであるので、１０００ｐｐｍに合わせ込まれるようになる。
【００３７】
このようにして、本実施の形態では、制御対象空間１００における人がいない状態でのＣＯ２濃度の測定値ｐｖminと基準値（４００ｐｐｍ）との差をドリフト量ΔＤとして求め、この求めたドリフト量ΔＤに基づいて制御対象空間１００に対して定められているＣＯ２濃度制御の設定値を変更することによって、ＣＯ２濃度制御の設定値をＣＯ２濃度の測定値のずれ幅に応じた適切な値として、省エネルギーを図ることができるようになる。
【００３８】
なお、上述した実施の形態では、所定期間ＴにおけるＣＯ２濃度の測定値の最小値ｐｖminを人がいない状態でのＣＯ２濃度の測定値として求めるようにしたが、制御対象空間１００を人がいない状態とし、その状態でのＣＯ２濃度の平均値や加重平均などを人がいない状態でのＣＯ２濃度の測定値として求めるようにすなどしてもよい。
【００３９】
〔実施の形態の拡張〕
以上、実施の形態を参照して本発明を説明したが、本発明は上記実施の形態に限定されるものではない。本発明の構成や詳細には、本発明の技術思想の範囲内で当業者が理解し得る様々な変更をすることができる。
【符号の説明】
【００４０】
Ｓ１…ＣＯ２センサ、１…測定値取込部、２…測定値記憶部、３…基準値記憶部、４…初期設定値記憶部、５…最小値抽出部、６…ドリフト量算出部、７…設定値変更部、８…ＣＰＵ、１００…制御対象空間、２００…ＣＯ２濃度制御の設定値変更装置、３００…ＣＯ２濃度制御装置、４００…換気装置。
【図１】
2013120001.tif 000003
【図２】
2013120001.tif 000004
【図３】
2013120001.tif 000005
【図４】
2013120001.tif 000006